(57)【要約】      （修正有）【課題】排尿動作に支障がなくすっきりとした排尿感が得られ、尿疾患を改善する。【解決手段】パンツ主体１０に、遠赤外線輻射磁鉄鉱入りスポンジ材の表面に伸縮シートを被せて形成した通気性を有する弾性布２０を備え、弾性布の下面長手に紐部材２３を配置し且つ弾性布をパンツ主体の左右股孔１１に沿って縫着し、パンツ主体の前面に位置する垂直開閉口３０の下端位置を、股間部に近接して形成する。【選択図】図１
0003135672.tif 000002
【実用新案登録請求の範囲】
【請求項１】
パンツ主体の内側股間部に、遠赤外線輻射磁鉄鉱入りスポンジ材の表面に伸縮シートを被せて形成した通気性を有する弾性布を備えてなるパンツにおいて、前記弾性布の下面長手に紐部材を配置し且つ弾性布をパンツ主体の左右股孔に沿って縫着するとともに、パンツ主体の前面に位置する垂直開閉口の下端位置を、股間部に近接して形成したことを特徴とする高齢者用男性パンツ。
【考案の詳細な説明】
【技術分野】
【０００１】  本考案は、排尿しやすく頻尿予防などに好適する高齢者用男性パンツに関する。
【背景技術】
【０００２】  加齢に伴って体の各部位に変調を来すことは高齢者になると誰もが実感するところであるが、特にいわゆる下の病気である尿漏れ、残尿、頻尿といった疾患は、男性高齢者にとっては大方が経験することであり、これらは放置しておくと症状が重くはなっても軽くなることはないための不安感も伴うもので、したがってこれらの解決を目指したパンツの改良も少なからず提案されている（例えば特許文献及び２参照）。
【特許文献１】登録実用新案第３０８３４１３号公報
【特許文献２】特開２００４−３１６０４６号公報
【考案の開示】
【考案が解決しようとする課題】
【０００３】  特許文献１に記載のものは前立腺肥大症等の疾患を改善するために本考案者が鋭意研究の結果開発したもので、パンツの股間部に設けたスポンジ布の中央部にゴム紐を通し、スポンジ布の前部はパンツに縫着するが後部中央はゴム紐とともに起立状にした構成を趣旨としている。ゴム紐後端はパンツの履き口付近で固着されるが途中はパンツと遊離しており、やゝ浮き上がり状となっている。このため臀部の割れ目に沿ってゴム紐が食い込み状となり、スポンジ布が肛門に絶えず密着する形となるため遠赤外線の浸透度は所期される反面、肛門に過剰な刺激が加わって逆に不快感を覚えるのと、排便後の肛門の汚れがスポンジ布に直接するため頻繁に洗濯をしないと非衛生になるという問題点がある。また例え前立腺疾患を生じても痔疾になるというものではなく、高齢男性にとってはむしろ尿疾患の改善こそ喫緊の課題といえる。【０００４】  上記のパンツも当然ながらパンツそのものの構造は図４に示す従来のものと殆ど変わりはない。従来のパンツ５０は、ペニスを取り出す垂直開閉口５１の下端位置５１ａがパンツ股間部５２から５〜６センチ上方にあるため、元気のない老人のペニスががそれよりも下方に位置していると一旦持ち上げる必要があって取り出しに時間がかゝり、しかも取り出したペニスが二つ折り状となるので、曲がったホースから水が放出されるのと同様にすっりとした排尿感が得られないという問題がある。【０００５】  特許文献２に記載のものは、排尿時にペニスの出し入れがスムースにできることを目的とした男性用パンツの開閉構造に関するもので、この技術も本考案者によって創案された。上記パンツは、パンツの正面中央に開閉自在な線状開口部を設け、その前面に、下端を支点として上端がパンツに着脱する帯状片を備えたものである。排尿時には帯状片を上端の貼り付け部から引きはがすと正面の線状開口部からペニスが直ちに露出できることを特徴としている。この技術は正面に形成した線状開口部が長く形成されているためどの位置からもペニスの取り出しができて便利な反面、帯状片をパンツから着脱する手間のかゝるという問題があり、したがってパンツの上からズボンなどを着用していると帯状片の引きはがし作業に時間がかゝって排尿に支障をきたすという懸念もあった。【０００６】  本考案は従来技術の不備に鑑みてなされたもので、尿疾患の予防・改善が図られることは勿論、感触が良好で日常着装しても不快感を伴うことがなく、しかも排尿作業がスムースになされて尿漏れ対策として有効な高齢者用男性パンツを提供することを目的とする。
【課題を解決するための手段】
【０００７】  すなわち本考案は、パンツ主体の内側股間部に、遠赤外線輻射磁鉄鉱入りスポンジ材の表面に伸縮シートを被せて形成した通気性を有する弾性布を備えてなるパンツにおいて、前記弾性布の下面長手に紐部材を配置し且つ弾性布をパンツ主体の左右股孔に沿って縫着するとともに、パンツ主体の前面に位置する垂直開閉口の下端位置を、股間部に近接して形成したことを特徴とする高齢者用男性パンツである。
【考案の効果】
【０００８】  弾性布の下面に配置した紐部材が弾性布の中央を程よく膨隆させるので、睾丸と肛門の中間である会陰部に弾性布が密接し、弾性布から放射される遠赤外線と磁気作用が会陰部から前立腺に向けて効果的に及ぶため固くなっている前立腺の細胞が活性化してその働きが活発となり、頻尿、残尿などの疾患の改善が図られる。またそれらの症状が現れていない場合に着用すると症状の発生すなわち前立腺肥大等を未然に防止することができる。【０００９】  垂直開閉口の下端は股間部に近接して形成してあるためペニスの出し入れが容易となり逼迫感を生じても遅滞なく排尿ができる。高齢になると体の全ての部位は重心が下方へと移動するのは理の当然であり、睾丸やペニスもその例外ではなく、既存のパンツのように開閉口下端が股間部から離れた位置にあると、ペニス先端をパンツ内から取り出すのに時間がかゝるため頻尿状態の場合などは取り出す寸前に尿漏れを起こすことになるが、本考案では前記したごとく垂直開閉口下端を股間部に近接して形成してあるので、その懸念は一掃される。すなわちペニスがどの位置にあっても手で摘んだペニスはパンツからスムースに突出させることができて排尿に手間取ることがなく高齢者の不安も解消される。
【考案を実施するための最良の形態】
【００１０】  図面を参照して本考案を説明すると、図１において１０はパンツ主体であり全体形状は従来のものと何ら変わることはないが、好ましくは臀部と太股にかけてフィットさせるためにブリーフ型のものが適する。そしてパンツ主体１０の内側股間部に遠赤外線輻射磁鉄鉱入りのスポンジ材表面に伸縮性シートを被せて形成した弾性布２０を備えている。この弾性布２０は、実開昭６３−５２９４０号に開示された技術をベースとしており、人体を熱源とする遠赤外線と細胞の分子活動の共鳴作用と、磁気帯より発する磁気により生体の呼吸活動が活発化して血行増進に役立つ機能を備えている。すなわち高齢になると、いわゆるみずみずしさが体の全ての部位から減少して枯渇へと向かうことは必然で、なかんずくペニスはダラーンと垂れ下がり往時のような勢いがなくなって勃起作用も衰えることから排尿作用も若いときのように噴射状に放出することなど期待できなくなり、頻尿、残尿、尿漏れといった症状も顕著性を帯びてくる。このことは男性器の機能を司る前立腺が固くなることに起因するものでもあり、したがって弾性布２０を股間にあてがうことによって前立腺の細胞活性化が図られると血流が促進して該部の固さがほぐされて前記した諸症状の改善が所期される所以である。弾性布２０は通気性を持たせるために多数の小さな通気孔２１が列穿され、蒸れやかぶれ防止に役立つ構成としてある。【００１１】  弾性布２０はパンツ主体１０の左右股孔１１・１１に沿って縫着２２されるが、下面の長手には直径１ミリ程度の紐部材２３が配置され、紐部材２３の分だけ中央が膨隆状となる。元々パンツを着用すると中央が人体股間部に当接するが、このように紐部材２３による膨隆部が股間の中央に密接することで一層弾性布２０の有する前記した遠赤外線等が効果的に作用する。なお弾性布２０は人体股間部に当接する面積分のみで足りるため多くの材料費がかゝる懸念がなく、また左右の股孔１１・１１に沿って取り付ける簡単な作業ですむため複雑な工程を経ることなく得られる。【００１２】  パンツ主体１０の前面には垂直開閉口３０が形成されている。一般的なパンツは成人であればＭ、Ｌなどのサイズの違いはあっても特に青年用と高齢者用に分かれているわけではない。このため通常のパンツは高齢者の排尿状態を考慮して作製されたものではないのでペニスの出し入れをする開閉口はパンツ下端（股間位置）よりも数センチ上方で縫着閉塞されている。前記垂直開閉口３０は図２〜図３に示すように、通常のパンツよりも下端位置３０ａを５センチ程度下方としてパンツ主体１０の股間部１０ａに近接させて縫着する。したがって垂直開閉口３０の上端はその分下げて形成しても差し支えはない。【００１３】  上記のように垂直開閉口３０の下端位置３０ａを通常パンツのそれよりも下方にさせたことで垂れ下がった状態のペニスを従来のように引き上げて二つ折り状とすることが必要でなくなり、横移動するだけでそのまま垂直開閉口３０から取り出しできて速やかで且つ快適な排尿ができ、切迫時における尿漏れ現象の未然防止が可能となる。この垂直開閉口３０は下端位置３０ａを従来よりも単に下方に移動したにすぎず、したがって特別な縫製作業等を要することもないので���業費用がかさむという懸念もない。【００１４】  弾性布２０はソフト感があって股間部のように敏感な個所には相応しく、パンツは履き心地も良好で誰もが安心して着用できる。なお本考案におけるパンツ主体１０の形状・素材、垂直開閉口３０の縫製の方法、弾性布２０の厚みなどは任意に選択でき、本考案の目的効果を奏する範囲における変更は本考案の実施の範疇に属し、また本考案は高齢者用として述べたが年齢にかゝわらず尿疾患を持つ男性に好適すること勿論である。
【図面の簡単な説明】
【００１５】
【図１】  本案パンツの平面図である。
【図２】  本案パンツの正面図である。
【図３】  本案パンツの着用状態を示す側面から見た説明図である。
【図４】  従来パンツの着用例を示す側面から見た説明図である。
【符号の説明】
【００１６】  １０    パンツ主体
１０ａ  股間部
１１    股孔
２０    弾性布
２１    通気孔
２２    縫着
２３    紐部材
３０    垂直開閉口
３０ａ  下端位置
【図１】
0003135672.tif 000003
【図２】
0003135672.tif 000004
【図３】
0003135672.tif 000005
【図４】
0003135672.tif 000006